【手続補正書】
【提出日】平成20年4月14日(2008.4.14)
【手続補正１】
【補正対象書類名】特許請求の範囲
【補正対象項目名】全文
【補正方法】変更
【補正の内容】
【特許請求の範囲】
【請求項１】
第１のＰＣＩ通信母線に動作可能に結合された第１のホスト装置であって、実質的に前記第１のＰＣＩ通信母線を介しての通信の容易化に関連したタスクを遂行するだけである当該第１のホスト装置と、
前記第１のＰＣＩ通信母線に動作可能に結合された第１の処理装置と、
共に前記第１のＰＣＩ通信母線に動作可能に結合された第２及び第３の装置であって、該第２の装置が、前記第１のＰＣＩ通信母線を介して第１のメッセージを送信するために前記第１のホスト装置からの許可を要求するように構成されており、また該第２の装置は、たとえ前記第１の処理装置が動作可能でない場合でも、前記第１のホスト装置から許可を受けたとき前記第１のメッセージを第３の装置へ送信するようになっている、当該第２及び第３の装置と、
を有しているデータ処理システム。
【請求項２】
前記第１のホスト装置はＰＣＩホスト装置を有しており、
前記第１のホスト装置及び前記第１のＰＣＩ通信母線は第１のバックプレーン上に配置されている、請求項１記載のデータ処理システム。
【請求項３】
更に、前記第１のバックプレーンに結合されていると共に、更に前記第１のＰＣＩ通信母線に動作可能に結合されている第１の電気コネクタを含み、
前記第１の処理装置は前記第１の電気コネクタを介して前記第１のＰＣＩ通信母線に電気接続されている、請求項２記載のデータ処理システム。
【請求項４】
前記第１のホスト装置は、前記第１の処理装置、前記第２の装置及び前記第３の装置に第１、第２及び第３のアドレス範囲をそれぞれ割り当て、
前記第１のホスト装置は、前記第１のメッセージを前記第３の装置へ送信する要求を前記第２の装置から受け取り、また前記第１のホスト装置は、他の装置に前記第１のＰＣＩ通信母線を介して通信する許可が与えられていないとき、前記第１のメッセージを送信する許可を前記第２の装置に与え、
前記第２の装置は第２の処理装置を有し、
前記第３の装置は、処理装置、ネットワーク通信装置、Ｉ／Ｏ装置、ビデオ表示装置及びモデムの内の１つを有している、請求項１記載のデータ処理システム。
【請求項５】
前記データ処理システムは更に、第２のＰＣＩ通信母線に動作可能に結合された第２のホスト装置であって、第２のＰＣＩ通信母線を介しての通信の容易化に関連したタスクを遂行するだけである当該第２のホスト装置と、
前記第２のＰＣＩ通信母線に動作可能に結合された第４の装置と、
前記第１及び第２のＰＣＩ通信母線の間の通信を容易にするように動作可能である第１の通信装置とを有しており、
前記第４の装置は、たとえ前記第１の処理装置が動作可能でない場合でも、前記第１の通信装置を介して前記第２の装置と通信する、請求項１記載のデータ処理システム。
【請求項６】
前記第２のホスト装置はＰＣＩホスト装置を有し、
前記第２のホスト装置及び前記第２のＰＣＩ通信母線は第２のバックプレーン上に配置されており、
更に、前記第２のバックプレーンに結合されていると共に、更に前記第２のＰＣＩ通信母線に動作可能に結合されている第２の電気コネクタを含み、
前記第４の装置は前記第２の電気コネクタを介して前記第２のＰＣＩ通信母線に電気接続されており、
前記第４の装置は第２の処理装置を有しており、
前記データ処理システムは更に、前記第２のＰＣＩ通信母線に動作可能に結合されている第５の装置を有し、前記第５の装置は、たとえ前記第１のＰＣＩ通信母線に結合された前記第１の処理装置が動作可能でない場合でも、前記第２のＰＣＩ通信母線を介して前記第４の装置と通信する、請求項５記載のデータ処理システム。
【請求項７】
第１のＰＣＩ通信母線を介しての通信の容易化に関連したタスクを遂行するだけのために第１のＰＣＩ通信母線に動作可能に結合された第１のホスト装置手段と、
計算タスクを遂行するために前記第１のＰＣＩ通信母線に動作可能に結合された第１の処理装置手段と、
互いと通信するために共に前記第１のＰＣＩ通信母線に動作可能に結合された第２及び第３の装置手段であって、当該第２の装置手段は、前記第１のＰＣＩ通信母線を介して第１のメッセージを送信するために前記第１のホスト装置手段からの許可を要求するように構成されており、また当該第２の装置手段は、たとえ前記第１の処理装置手段が動作可能でない場合でも、前記第１のホスト装置手段から許可を受けたとき前記第１のメッセージを当該第３の装置手段へ送信するようになっている、当該第２及び第３の装置手段と、
を有しているデータ処理システム。
【請求項８】
第１のホスト装置と、第１のＰＣＩ通信母線と、第１、第２及び第３の電気コネクタとを持つ第１のバックプレーンであって、前記第１のホスト装置は前記第１のＰＣＩ通信母線に動作可能に結合されており、前記第１のＰＣＩ通信母線は前記第１、第２及び第３の電気コネクタに動作可能に結合されており、前記第１のホスト装置は前記第１のＰＣＩ通信母線を介しての通信の容易化に関連したタスクを遂行するだけである、当該第１のバックプレーンと、
前記第１の電気コネクタを介して前記第１のＰＣＩ通信母線に動作可能に結合された第１の処理装置と、
前記第２及び第３の電気コネクタを介して前記第１のＰＣＩ通信母線にそれぞれ動作可能に結合された第２及び第３の装置であって、当該第２の装置は、前記第１のＰＣＩ通信母線を介して第１のメッセージを送信するために前記第１のホスト装置からの許可を要求するように構成されており、また当該第２の装置は、たとえ前記第１の処理装置が動作可能でない場合でも、前記第１のホスト装置から許可を受けたとき前記第１のメッセージを当該第３の装置へ送信するようになっている、当該第２及び第３の装置と、
を有しているデータ処理システム。
【請求項９】
データ処理システムが、第１のＰＣＩ通信母線に動作可能に結合されていて、前記第１のＰＣＩ通信母線を介しての通信の容易化に関連したタスクを遂行するだけである第１のホスト装置と、前記第１のＰＣＩ通信母線に動作可能に結合された第１の処理装置と、共に前記第１のＰＣＩ通信母線に動作可能に結合された第２及び第３の装置とを有している場合において、データ処理システムを制御するための方法であって、
前記第１のＰＣＩ通信母線を介して第１のメッセージを送信するための許可を要求する許可要求信号を、前記第２の装置から前記第１のホスト装置へ送る段階と、
前記第２の装置が前記第１のホスト装置から許可を受けたとき、たとえ前記第１の処理装置が動作可能でない場合でも前記第２の装置から前記第３の装置へ前記第１のメッセージを送信する段階と、
を有している方法。
【請求項１０】
データ処理システムを制御するためにその中に符号化されたコンピュータ・プログラムを持つコンピュータ記憶媒体を有する製造物品であって、
前記データ処理システムは、第１のＰＣＩ通信母線に動作可能に結合されていて、前記第１のＰＣＩ通信母線を介しての通信の容易化に関連したタスクを遂行するだけである第１のホスト装置と、前記第１のＰＣＩ通信母線に動作可能に結合された第１の処理装置と、共に前記第１のＰＣＩ通信母線に動作可能に結合された第２及び第３の装置とを持っており、
前記コンピュータ記憶媒体は、前記第１のＰＣＩ通信母線を介して第１のメッセージを送信するための許可を要求する許可要求信号を、前記第２の装置から前記第１のホスト装置へ送るためのコードを有しており、
前記コンピュータ記憶媒体は更に、前記第２の装置が前記第１のホスト装置から許可を受けたとき、たとえ前記第１の処理装置が動作可能でない場合でも前記第２の装置から前記第３の装置へ前記第１のメッセージを送信するためのコードを有していること、
を特徴とする製造物品。